(57)【要約】【課題】起立する直方体状中空扉体１２の発生する排水音と、同排水音の当該中空扉周りへの拡散を抑制すると共に、起立する直方体状中空扉体の転倒により、流水路上流側床面上に確保した所定水位の水および通常流水のスムーズな流下を実現する。【解決手段】流水路５下流側床面８の基台９に設けた直方体状中空扉体１２の起立により、流水路５上流側床面７上に確保した所定水位の水Ｈ＋ΔＨ１を、起立する直方体状中空扉体１２内にフロントパネル１３の入水口１７から流入、落水させ、リアパネル１４下部の排水口１８から、当該排水口１８周りのリアパネル１４外側に排水音抑制カバー２７をヒンジ２８付けしたことにより、確保される落水音抑制室３３内に閉じ込めるように排水して、排水音の発生を抑制する。また、起立する直方体状中空扉体１２を流水路下流側床面８上へ転倒させることにより、流水路５上流側床面７上に確保した所定水位の水及び通常流水をスムーズに流下させる。【選択図】図３
0003133172.tif 000002
【実用新案登録請求の範囲】
【請求項１】
適宜間隔を存して平行状に配した入水口（１７、４７）付きフロントパネル（１３、４３）と、排水口（１８、４８）付きリアパネル（１７、４７）の周縁部を閉塞した中空扉体（１２、１２Ａ、４２、４２Ａ、７２、８２、９２）の、入水口（１７、４７）と排水口（１８、４８）間に、起立する当該中空扉体の入水口（１７、４７）からの流入水を排水口（１８、４８）から排水する流水経路を、当該入水口と排水口との上下方向の間隔より長く構成する流路規制部材（２３、６２、７３、８３、９３）を設けるとともに、該中空扉体の基部を適宜駆動手段（１６）により駆動される取付け軸（１５）を介して、流水路（５）下流側（８）適所の基台（９）に起伏可能に設け、かつ、起立する該中空扉体のフロントパネルの前側と流水路（５）の上流側床面（７）を水密ゴム（１９）で連結し、該中空扉体の左右両側部を、流水路（５）下流側の側壁（６）に水密ゴム（１９１）を介して摺動可能に密接させたことを特徴とする落水音抑制転倒ゲート。
【請求項２】
直方体状に構成した前記中空扉体（１２、１２Ａ、４２、４２Ａ、７２、８２、９２）の平行する左右の側壁部を、前記流水路（５）下流側の側壁とそれぞれ並行する同一垂直面上を変位可能に、当該直方体状中空扉体の基部を前記流水路（５）下流側（８）適所の基台（９）に、前記取付け軸（１５）を介して取付けたことを特徴とする請求項１記載の落水音抑制転倒ゲート。
【請求項３】
前記排水口（１８、４８）を、起立する前記直方体状中空扉体（１２、１２Ａ、４２、４２Ａ、７２、８２、９２）のリアパネル（１４、４４）の下半部に設けたことを特徴とする請求項１又は２の何れかに記載の落水音抑制転倒ゲート。
【請求項４】
起立する前記直方体状中空扉体（１２、１２Ａ、４２、４２Ａ、７２、８２、９２）の基部を、前記流水路（５）の上流側床面（７）より低い下流側床面（８）の凹部（８Ｂ）内に配した基台（９）に、前記取付け軸（１５）を介して起伏可能に取付けたことを特徴とする請求項１から３の何れかに記載の落水音抑制転倒ゲート。
【請求項５】
起立する前記直方体状中空扉体のリアパネルの排水口（１８、４８）を、前記流水路下流側の床面（８）上に位置し、当該流水路下流側の凹部（８Ｂ）上にあって、当該流水路の上流側床面より低い空間に位置するように配したことを特徴とする請求項４記載の落水音抑制転倒ゲート。
【請求項６】
前記直方体状中空扉体（１２、１２Ａ、８２）のフロントパネル（１３、４３）とリアパネル（１４、４４）の間に設けた、前記流路規制部材（２３、８３）の少なくとも一部を、当該フロントパネル、リアパネルと平行状に構成したことを特徴とする請求項１から５の何れかに記載の落水音抑制転倒ゲート。
【請求項７】
前記直方体状中空扉体のフロントパネルとリアパネル間に設けた、前記流路規制部材（２３、６２、７３、８３、９３）のそれぞれの少なくとも一部を、当該フロントパネル、リアパネルと平行し、又は当該フロントパネル、リアパネルに対して小角度傾斜し、若しくは当該フロントパネル、リアパネルと平行する軸心（２３ＡＡ）回りの円弧の、いずれかの形状に沿うように形成したことを特徴とする、請求項１から５の何れかに記載の落水音抑制転倒ゲート。
【請求項８】
前記直方体状中空扉体内の流路規制部材を、当該直方体状中空扉体のフロントパネル、リアパネルと平行し、又は該フロントパネル、リアパネルに対して小角度傾斜し、若しくは該フロントパネル、リアパネルと平行する軸心周りの円弧の、何れかの２つ又は全部を組み合わせた形状に沿うように構成したことを特徴とする、請求項７記載の落水音抑制転倒ゲート。
【請求項９】
前記流水路（５）下流側床面（８）上の適所に配した基台（９）に、基部を起伏可能に取付けた前記直方体状中空扉体（１２、１２Ａ）のリアパネル（１４）の排水口（１８）を、起立する当該直方体状中空扉体（１２）のリアパネル（１４）の外側と、頂部を該リアパネル（１４）の外側にヒンジ（２８）付けした排水音抑制カバー（２７）により囲まれる排水音抑制室（３３）内に位置するように、当該リアパネル（１４）に設けたことを特徴とする請求項８記載の落水音抑制転倒ゲート。
【請求項１０】
前記直方体状中空扉体の頂部開口（２０、５０）を、起立する当該直方体状中空扉体のフロントパネルの頂部に、基部をヒンジ（２２、５２）付けした頂部開口カバー（２１、５１）の自重により閉塞可能に設ける一方、当該頂部開口カバー（２１、５１）を、転倒した当該直方体状中空扉体内の流下水流により開放可能にしたことを特徴とする請求項１から３、５、７から９の何れかに記載の落水音抑制転倒ゲート。
【請求項１１】
起立する前記直方体状中空扉体の上下方向に伸びる中空部を、当該直方体状中空扉体の上下方向に伸び、頂部に欠落部（２４）のある隔壁（２３）により前側室と後側室に分割するとともに、該前側室と後側室を前記欠落部（２４）により連通させ、かつ、該直方体状中空扉体（１２、１２Ａ）のフロントパネル（１３）の入水口（１７）下部と、前記隔壁（２３）下部の前側を、傾斜状又は凹弧状導入壁２５により連結したことを特徴とする請求項１から１０の何れかに記載の落水音抑制転倒ゲート。
【請求項１２】
前記排水音抑制室（３３）を、起立する前記直方体状中空扉体のリアパネル（１４、４４）の外側と、当該リアパネル（１４、４４）に上部をヒンジ（２８）付けした排水音抑制カバー（２７）の内側と、該排水音抑制カバー（２７）の左右両側部の当接する前記流水路（５）の下流側の側壁（６）と、当該流水路（５）の下流側床面（８）とによりほぼ三角筒状に構成するとともに、該排水音抑制カバー（２７）を起立する前記直方体状中空扉体の前記流水路（５）下流側床面（８）上への転倒により、転倒した当該直方体状中空扉体の下側と、流水路（５）の下流側床面（８）との間に折畳み可能にしたことを特徴とする請求項１から９の何れかに記載の落水音抑制転倒ゲート。
【請求項１３】
起立する前記直方体状中空扉体（４２Ａ）の基部を、前記リアパネル下部の排水口が、前記流水路（５）の下流側床面（８）上に位置し、当該流水路（５）の下流側凹部（８Ｂ）上の、上流側床面（７）より低い空間に位置するように、該凹部（８Ｂ）内の基台（９）に起伏可能に取付けるとともに、起立する該直方体状中空扉体（４２、４２Ａ）のリアパネル（４４）の排水口（４８）下縁と、フロントパネル（４３）内側の下部を先下がり排水板（６４）で連結し、該リアパネル（４４）下部の排水口（４８）より上位の内側から、フロントパネル（４３）の下部に向って先下がりに降下し、その欠落する端部（６３）が前記先下がり排水板（６４）の上面及びフロントパネル（４３）の下部内側面から適度に離間する反転板（６２）を設けたことを特徴とする、請求項１から５、７から９の何れかに記載の落水音抑制転倒ゲート。
【請求項１４】
起立する前記直方体状中空扉体（７２、８２、９２）のフロントパネル上部の入水口の下位と、リアパネルの排水口の下部を、歪Ｓ状誘導板（７３）、Ｓ状誘導板（８３）、又は頂部及び底部がほぼ平行する先下り誘導面（９３１、９３２）を備えるジグザグ状誘導板（９３）の何れかにより連結したことを特徴とする、請求項１から８、１１、１３の何れかに記載の落水音抑制転倒ゲート。
【請求項１５】
起立する前記直方体状中空扉体（８２、９２）のフロントパネルの上部に設けた入水口（４７）の下位と、リアパネルに設けた排水口（４８）の下部を、Ｓ状誘導板（８３）又は頂部及び底部がほぼ平行する先下り誘導面（９３１、９３２）を備えるジグザグ状誘導板（９３）、若しくはそれらの組み合わせからなる流路規制部材により連結するとともに、前記流路規制部材の何れかの中央部とほぼ平行する頂面（８５１、９５１）を備える三角柱状反転体（８５、９５）を、その頂面（８５１、９５１）と前記Ｓ状誘導板（８３）又はジグザグ状誘導板（９３）の一方又は双方の流路規制部材（誘導板）との間に、適宜間隔の落水路（８４、９４）を確保するように、前記リアパネル（４４）の内側で、前記排水口（４８）上位に設けたことを特徴とする請求項１４記載の落水音抑制転倒ゲート。
【考案の詳細な説明】
【技術分野】
【０００１】この考案は落水音抑制転倒ゲート、殊に、河川や水路の適所に設ける起伏可能な落水音抑制転倒ゲートの、起立する中空扉体により確保した所定水位の水を、当該落水音抑制転倒ゲートを介して取水する際に、起立する当該中空扉体内に発生する落水音、同落水音抑制転倒ゲートから排水される排水の排水音を減少させるとともに、当該落水音、排水音を抑制する一方、起立中空扉体により確保した所定水位の水を、当該起立中空扉体を転倒させて放流する際、転倒した当該中空扉体内を流下する放流水や、当該流水路の通常流水の流動を妨げる恐れがなく、しかも大きな落水音や流水音の発生や、拡散の少ない落水音抑制転倒ゲートに関する。
【背景技術】
【０００２】起伏可能な扉体の起立により確保した所定水位の水を、起立する扉体回りのサイフォン入口から吸込み、そのサイフォンの排出口から排出させて取水可能にする一方、必要に応じて起立する扉体の倒伏（転倒）により、確保した所定水位水を放流可能にしたサイフォン付起伏ゲートは、例えば、特開２００１−２６２５５１号公報、特開２００１−２６２５５２号公報、特開昭５８−１８１９１０号公報、特開昭６０−１２３６１２号公報、実開昭５５−２１３６７号公報、特開昭５５−１２２９０８号公報（特許文献１〜６）にそれぞれ記載される。【０００３】特許文献１（特開２０００−２６２５５１号公報）  起立する扉体により確保した所定水位水からサイフォンを利用して、起立する扉体の頂部を越流、落下させて所定水位水を取水する際に発生する落水音を減少させる、従来のサイフォン付ゲート、例えば、特開昭５８−１９５６１７号公報記載のものにおける、サイフォン入口回りに発生する吸込音を抑制するため、起立する扉体内のサイフォン管入口の上流側呑口から下流側吐口に至るサイフォン管の入口を、当該扉体内に開口させる一方、倒伏する扉体内のサイフォン流路の詰まり発生を防止するため、当該扉体の呑口上側に、上端のヒンジ廻りに揺動する外開き揺動板を設けて、該呑口を閉塞可能にすると共に、開いた揺動板と起立する扉体との間をシールして、閉塞空間に配設されたサイフォン管の入口から水を吸込ませ、また、倒伏する扉体内のサイフォン管流路の詰まりを防止するために、当該扉体の呑口上側に、上端のヒンジ周りに揺動可能に設けた外開き回動板を、当該扉体が倒伏する際に回動させて前記呑口を閉塞することにより、当該扉体内のサイフォン管路への土砂や石の流入を阻止する。【０００４】特許文献２（特開２００１−２６２５５２号公報）  サイフォン付起伏ゲートにおける空気吸込み騒音の発生を抑制するとともに、サイフォン管の詰まりを防止するため、起伏する扉体内に入口の開口するサイフォン管の上流側呑口を、当該呑口の下縁に基部をヒンジ付けした蓋で開閉可能にし、起立する扉体の密閉空間内で、サイフォン管入口から水流を吸込ませるとともに、前記呑口と入口の間に適度な間隔を確保することにより、当該水流が安定する水平状をなすように、サイフォン管の入口に被せ、扉体が倒伏する際、前記蓋により呑口を閉塞して、当該サイフォン管への土砂や石の流入を阻止する。【０００５】特許文献３（特開昭５８−１８１９１０号公報）  起立により上流側より下流側へ流下する水流を所定水位に制止して、上流側に貯水流域を確保するとともに、その下流側にその貯水の余剰分をその頂部より越流させて下方の河川等の水面上に放流する越流式ゲートにおいて、前記ゲートの越流側に、これに沿って越流して下方の河川等の水面に至る越流水面に接触して、これを覆う可撓性遮音材を設けた越流式ゲート。【０００６】特許文献４（特開昭６０−１２３６１２号公報）  小降水時等に、起立する扉体の天端から越流させるにようにした越流ゲートにおいて、扉体の上流側に、上部に流入口、下部に排水口を有する導水路を、径間のほぼ全長に亘って設け、この導水路を縦方向の多数の隔板により仕切り、前記排水口は、扉体下部から下流に向���って開放する騒音防止ゲート。【０００７】特許文献５｛実願５３−１０４２３１号（実開昭５５−２１３６７号公報）のマイクロフィルム｝  転倒ゲートの扉体に、その起立位置における越流水の全部又は大部分が流入し得る水平方向に細長い取入口を設け、扉体裏面に取入口流入水を前記起立位置における扉体天端高さまで導く水位保持版を固着し、水位保持版の側端と結合する両側板と天端から立上って、水位保持板の上方を覆う頂板と水位保持板から後に離隔し、かつ後方に傾いた導水板とにより水位保持板を包囲し、導水板の下端に扉体の下流側に開口する水吐口を設けた転倒ゲートの水撃音、堆砂防止装置。【０００８】特許文献６（特開２００３−２６４４号公報）上流側河床のコンクリート床板面より低い下流側の窪み内に設けた軸受けにより、転倒堰（転倒ゲート）の下部を起伏駆動可能に、支承した転倒堰による排砂方式。
【考案の解決課題】
【０００９】特許文献１記載の、起立扉体により確保した所定水位水を、扉体内のサイフォン管により取水する一方、扉体の倒伏により、起立扉体により確保した所定水位の水を放流する従来の起伏ゲートにあっては、確保した所定水位の水から起立扉体内のサイフォン管により取水をする際、当該所定水位水の水位を実質的に低下させてその落水音を減少させるようにした従来のサイフォン付ゲート、例えば、特開昭５８−１９５６１７号公報記載のものに、なお残るサイフォン管の入口回りに発生する吸込音を抑制するため、サイフォン管入口を当該扉体内に開口させ、その上流側の呑口に、上端を支点とする外開き回動板を設け、この回動板の開放状態でのサイフォン管による放流の際に生ずる、回動板前後の水位差を解消して、空気の吸込みをなくし、気泡の吸込みによる振動音の発生を減少させる。また、上流側水位が、サイフォン管の入口付近を上下（昇降）する状態において、サイフォン管の入口を常時閉塞させることにより、当該サイフォン付起伏ゲート回りへの吸込音（騒音）の拡散を減少させる。さらに、扉体が倒伏する際、回動板を閉じて呑口を覆うと、当該扉体内への土砂や石の流入が阻止され、サイフォン管の流路を詰まらせないようにしている。しかし、これらの何れにも、サイフォン管の吐口から排出される排水の発生する落水音の抑制ないし減少対策は十分とはいえない。その上、このサイフォン付きゲートにあっては、当該中空扉体とは本来係わりのないサイフォン管の併設を前提にし、ひいては、起立又は転倒する当該中空扉体の構造をかなり複雑にする嫌いがあった。また、前記特許文献２記載のサイフォン付起伏ゲートにも、これと同様な問題があった。
【００１０】その上、これらのサイフォン付き起伏ゲートにあっては、起立するサイフォン付きゲートにより確保した所定水位の水を、当該サイフォン付きゲートの中空扉体に併設したサイフォンを介して、その所定水位を確保しつつ、落下させて取水する一方、サイフォン付起伏ゲートの倒伏により前記所定水位の水を放流するものであって、倒伏したこのサイフォン付きゲートは、前記所定水位の水の移動を許容する（妨げない）に留まり、倒伏したサイフォン付きゲートの中空扉体自体は格別の働きをしない。
【００１１】また、特許文献３記載の越流式ゲートにあっては、越流式ゲートの後部に間隔を置いて水路を構成する後部ゲート又は可撓性の遮音板を設けるため、当該越流式ゲートがそれだけ大型化する嫌いがあった。
【考案の開示】
【００１２】この考案は、前記のような従来の起伏可能なサイフォン付又はサイフォンの付かない扉体を備える転倒ゲートにおける、所定水位の水から取水する際に発生する落水音の、当該転倒（起伏）ゲート周りへの拡散抑制し、しかも、当該転倒ゲートの扉体の、格別な構造の複雑化を招く恐れのないものの提供という点に着目してされたものである。
【００１３】請求項１の考案は、適宜間隔を存して平行状に配した入水口１７、４７付きフロントパネル１３、４３と、排水口１８、４８付きリアパネル１７、４７の周縁部を閉塞した中空扉体１２、１２Ａ、４２、４２Ａ、７２、８２、９２の、入水口１７、４７と排水口１８、４８間に、起立する当該中空扉体の入水口１７、４７からの流入水を排水口１８、４８から排水する流水経路を、当該入水口と排水口との上下方向の間隔より長く構成する流路規制部材２３、６２、７３、８３、９３を設けるとともに、該中空扉体の基部を適宜駆動手段１６により駆動される取付け軸１５を介して、流水路５下流側８適所の基台９に起伏可能に設け、かつ、起立する該中空扉体のフロントパネルの前側と流水路５の上流側床面７を水密ゴム１９で連結し、該中空扉体の左右両側部を、流水路５下流側の側壁６に水密ゴム１９１を介して摺動可能に密接させた落水音抑制転倒ゲートである。
【００１４】請求項２の考案は、直方体状に構成した前記中空扉体１２、１２Ａ、４２、４２Ａ、７２、８２、９２の平行する左右の側壁部を、前記流水路５下流側の側壁とそれぞれ並行する同一垂直面上を変位可能に、当該直方体状中空扉体の基部を前記流水路５下流側８適所の基台９に、前記取付け軸１５を介して取付けたものである。
【００１５】請求項３の考案は、前記排水口１８、４８を、起立する前記直方体状中空扉体１２、１２Ａ、４２、４２Ａ、７２、８２、９２のリアパネル１４、４４の下半部に設けたものであり、また、請求項４の考案は、起立する前記直方体状中空扉体１２、１２Ａ、４２、４２Ａ、７２、８２、９２の基部を、前記流水路５の上流側床面７より低い下流側床面８の凹部８Ｂ内に配した基台９に、前記取付け軸１５を介して起伏可能に取付けたものである。
【００１６】請求項５の考案は、起立する前記直方体状中空扉体のリアパネルの排水口１８、４８を、前記流水路下流側の床面８上に位置し、当該流水路下流側の凹部８Ｂ上にあって、当該流水路の上流側床面より低い空間に位置するように配したものであり、また、請求項６の考案は、前記直方体状中空扉体１２、１２Ａ、８２のフロントパネル１３、４３とリアパネル１４、４４の間に設けた、前記流路規制部材２３、８３の少なくとも一部を、当該フロントパネル、リアパネルと平行状に構成したものである。
【００１７】請求項７の考案は、前記直方体状中空扉体のフロントパネルとリアパネル間に設けた、前記流路規制部材２３、６２、７３、８３、９３のそれぞれの少なくとも一部を、当該フロントパネル、リアパネルと平行し、又は当該フロントパネル、リアパネルに対して小角度傾斜し、若しくは当該フロントパネル、リアパネルと平行する軸心２３ＡＡ回りの円弧の、いずれかの形状に沿うように形成したものである。
【００１８】請求項８の考案は、前記直方体状中空扉体内の流路規制部材を、当該直方体状中空扉体のフロントパネル、リアパネルと平行し、又は該フロントパネル、リアパネルに対して小角度傾斜し、若しくは該フロントパネル、リアパネルと平行する軸心周りの円弧の、何れかの２つ又は全部を組み合わせた形状に沿うように構成したものである。
【００１９】請求項９の考案は、  前記流水路５下流側床面８上の適所に配した基台９に、基部を起伏可能に取付けた前記直方体状中空扉体１２、１２Ａのリアパネル１４の排水口１８を、起立する当該直方体状中空扉体１２のリアパネル１４の外側と、頂部を該リアパネル１４の外側にヒンジ２８付けした排水音抑制カバー２７により囲まれる排水音抑制室３３内に位置するように、当該リアパネル１４に設けたものである。
【００２０】請求項１０の考案は、前記直方体状中空扉体の頂部開口２０、５０を、起立する当該直方体状中空扉体のフロントパネルの頂部に、基部をヒンジ２２、５２付けした頂部開口カバー２１、５１の自重により閉塞可能に設ける一方、当該頂部開口カバー２１、５１を、転倒した当該直方体状中空扉体内の流下水流により開放可能にしたものである。
【００２１】請求項１１の考案は、起立する前記直方体状中空扉体の上下方向に伸びる中空部を、当該直方体状中空扉体の上下方向に伸び、頂部に欠落部２４のある隔壁２３により前側室と後側室に分割するとともに、該前側室と後側室を前記欠落部２４により連通させ、かつ、該直方体状中空扉体１２、１２Ａのフロントパネル１３の入水口１７下部と、前記隔壁２３下部の前側を、傾斜状又は凹弧状導入壁２５により連結したものである。
【００２２】請求項１２の考案は、前記排水音抑制室３３を、起立する前記直方体状中空扉体のリアパネル１４、４４の外側と、当該リアパネル１４、４４に上部をヒンジ２８付けした排水音抑制カバー２７の内側と、該排水音抑制カバー２７の左右両側部の当接する前記流水路５の下流側の側壁６と、当該流水路５の下流側床面８とによりほぼ三角筒状に構成するとともに、該排水音抑制カバー２７を、起立する前記直方体状中空扉体の前記流水路５下流側床面８上への転倒により、転倒した当該直方体状中空扉体の下側と、流水路５の下流側床面８との間に折畳み可能にしたものである。
【００２３】請求項１３の考案は、起立する前記直方体状中空扉体４２Ａの基部を、前記リアパネル下部の排水口が、前記流水路５の下流側床面８上に位置し、当該流水路５の下流側凹部８Ｂ上の、上流側床面７より低い空間に位置するように、該凹部８Ｂ内の基台９に起伏可能に取付けるとともに、起立する該直方体状中空扉体４２、４２Ａのリアパネル４４の排水口４８下縁と、フロントパネル４３内側の下部を先下がり排水板６４で連結し、該リアパネル４４下部の排水口４８より上位の内側から、フロントパネル４３の下部に向って先下がりに降下し、その欠落する端部（６３が前記先下がり排水板６４の上面及びフロントパネル４３の下部内側面から適度に離間する反転板６２を設けたものである。
【００２４】請求項１４の考案は、起立する前記直方体状中空扉体７２、８２、９２のフロントパネル上部の入水口の下位と、リアパネルの排水口の下部を、歪Ｓ状誘導板７３、Ｓ状誘導板８３、又は頂部及び底部がほぼ平行する先下り誘導面９３１、９３２を備えるジグザグ状誘導板９３の何れかにより連結したものである。
【００２５】請求項１５の考案は、起立する前記直方体状中空扉体８２、９２のフロントパネルの上部に設けた入水口４７の下位と、リアパネルに設けた排水口４８の下部を、Ｓ状誘導板８３又は頂部及び底部がほぼ平行する先下り誘導面９３１、９３２を備えるジグザグ状誘導板９３、若しくはそれらの組み合わせからなる流路規制部材により連結するとともに、前記流路規制部材の何れかの中央部とほぼ平行する頂面８５１、９５１を備える三角柱状反転体８５、９５を、その頂面８５１、９５１と前記Ｓ状誘導板８３又はジグザグ状誘導板９３の一方又は双方の流路規制部材（誘導板）との間に、適宜間隔の落水路８４、９４を確保するように、前記リアパネル４４の内側で、前記排水口４８上位に設けたものである。
【考案の効果】
【００２６】この出願に係る考案は、その実用新案登録請求の範囲、請求項１から１５記載構成を備えることにより、以下のような効果を奏する。
（１）  請求項１の考案によれば、起立中空扉体により流水路上流側床面上に確保した所定水位の水を、フロントパネルの入水口から当該中空扉体内に流入、流下させて、リアパネル下部の排水口から排出する水を、流水路下流側床面上のリアパネル下部の排水口周りの排水音抑制室内に一旦閉じ込めるように排出し、又は、流水路下流側床面の凹部内の滞留水中に排出することにより、排水音、落水音の発生を抑制するとともに、発生した同排水音、落水音の当該中空扉体周りへの拡散が抑制される外、起立中空扉体の転倒により、流水路上流側床面上に確保した所定水位の水又は通常流水の少なくとも一部を、転倒した当該中空扉体内への前記フロントパネル入水口からの流入に基づく、転倒した当該扉体内における騒音発生、拡散も抑制され、そのリアパネルの排水口からスムーズに流下、排出する。
【００２７】（２）  流水路上流側床面上に起立中空扉体により確保した所定水位の水又は通常の流水を、当該中空扉体内を流下させる流路規制部材を、当該中空扉体内を、例えば、サイフォン等を併用する既存の転倒ゲートの扉体とは直接的な係わりがなく、特異な形状、構造の部材を併用するとなく、例えば、平板のような単純形状部材の併用による僅かな構造変更により当該中空扉体内に流水路を確保し、当該中空扉体のフロントパネルの入水口から流入し、そのリアパネルの排水口から排水することにより、従来の同種転倒ゲートより落水音、排水音の発生、抑制効果の優れた、落水音抑制転倒ゲートを提供する。
【００２８】（３）  また、当該中空扉体の外形を大きく変えることなく、互いに並行するフロントパネル、リアパネルの内側に、異なる形状の流路構成部材を選択して溶接等の適宜取付け手段により簡易に取付けることにより、当該中空扉体内の流水路を落水音抑制効果の異なる流水路として構成し、しかも、その際、サイフォン等の独立する他の部材を併用することなく、目的とする落水音抑制効果を奏する単純構造の流路規制部材の選択により、異なる落水音抑制効果を期待できる落水音抑制転倒ゲートを提供する。
【００２９】（４）  請求項２の考案によれば、直方体状に構成した前記中空扉体の平行する左右の側壁部を、前記流水路下流側の側壁とそれぞれ並行する同一垂直面上を変位可能に、当該直方体状中空扉体の基部を前記流水路下流側適所の基台に、取付け軸を介して取付けたことにより、当該中空扉体内に流入、流下する水流による当該中空扉体への左右方向の側圧が常時均衡する。
【００３０】（５）  請求項３の考案によれば、リアパネルの排水口が、起立する直方体状中空扉体のリアパネルの下半部に設けられることにより、当該落水音抑制転倒ゲートの流水路下流側の適所への取付けを、既存の転倒ゲートの流水路適所への取付けとほぼ同要領で取付けることができ、また、当該中空扉体のリアパネルの下半部に設けた排水口を、当該扉体のリアパネル排水音抑制室内や、流水路下流側の凹部の滞留水中への配設の容易な落水音抑制転倒ゲートを提供する。
【００３１】（６）  請求項４の考案によれば、起立する中空扉体の基部を適宜駆動手段により駆動される取付け軸を介して、流水路の上流側床面より低い下流側床面の凹部内の基台に起伏可能に設けたことにより、中空扉体のリアパネルの排水口周りに、排水音抑制板を設けることなく、流水路の上流側床面より低い下流側床面の凹部内の基台に、起立する中空扉体のリアパネルの排水口が、当該下流側床面の凹部内の滞留水中に位置し、当該中空扉体の排水口周りに排水音抑制板の取り付けを前提とする排水音抑制室を確保することなく、当該凹部内の滞留水により起立する中空扉体のリアパネルの排水口を閉塞し、同排水口からの排水音、落水音の発生や、それらの拡散を抑制する。
【００３２】（７）  請求項５の考案によれば、流水路上流側床面状に起立中空扉体により確保した所定水位の水を、フロントパネルの入水口から当該起立中空扉体内に流入、流下させ、該起立中空扉体のリアパネル下部の排水口を、前記流水路下流側床面上に位置し、当該下流側流水路の凹部上の、上流側床面より低い空間、ひいては、前記流水路下流側床面上に位置する凹部内の滞留水中に排水することにより、排水音、落水音の発生および当該中空扉体周りへの拡散が抑制され、しかも起立中空扉体の転倒により、流水路上流側床面上に確保した予定水位の水、又は同流水路上流側床面上の通常流水をスムーズに流下させる。
【００３３】（８）  請求項６の考案によれば、中空扉体の平行状のフロントパネルとリアパネル間に設けた、流路規制部材の少なくとも一部を、フロントパネル、リアパネルと平行状に構成したことにより、当該流路規制部材のフロントパネル、リアパネルと平行状に構成した部分において発生する、当該中空扉体内の流水路を流下する水流の反力の少なくとも一部が、その前後方向において釣合い、当該中空扉体を前後方向に移動させようとする反力発生が抑制される。
【００３４】（９）  請求項７の考案によれば、中空扉体のフロントパネルとリアパネル間に設けた、流路規制部材のそれぞれの少なくとも一部が、当該フロントパネル、リアパネルと平行、又は該フロントパネル、リアパネルに対して小角度傾斜し、若しくは該フロントパネル、リアパネルと平行する軸心回りの円弧の、いずれかの形状に沿うように構成することにより、いずれの形状を選択した場合にも、当該中空扉体内の流路を流下する流水の発生する落水音、排水音を適度に抑制できる流路形状の選択を容易にし、しかも中空扉体内を流下する水流圧が当該中空扉体に常時均一に作用し、したがって、長期間にわたって均一に動作する落水音抑制転倒ゲートを提供する。
【００３５】（１０）  請求項８の考案によれば、中空扉体の平行状のフロントパネル、リアパネル間に設けた流下水流規制部材が、当該フロントパネル、リアパネルと平行状をなすとともに、流下水流規制部材の少なくとも一部が、フロントパネル、リアパネルと同方向又はフロントパネル、リアパネルに対して小角傾斜する方向、当該フロントパネル、リアパネルと同方向の軸心周りの円弧状をなし、若しくはそれらの何れかの２又は２以上の形状の組み合わせ形状面に沿う流下水流の規制面に沿ってスムーズに流下し、この間に、起立する当該中空扉体内の係る流路を流下する流水の流速が低下し、同流路の流下水の発生する落水音、排水音が抑制され、しかも、同部流路の形状選択性が向上し、同流路流水の発生する落水音が抑制され、ひいては、当該中空扉体内の流下水流の発生する落水音の拡散も抑制される。
【００３６】（１１）  請求項９の考案によれば、流水路下流側床面上の適所に配した基台に、基部を起伏可能に取付けた直方体状中空扉体のリアパネルの排水口を、起立する当該直方体状中空扉体のリアパネルの外側と、頂部を該リアパネルの外側にヒンジ付けした排水音抑制カバーにより囲まれる排水音抑制室内に位置するように、当該リアパネルに設けたことにより、当該中空扉体内の流水路の形状如何に係わらず、所要の落水音抑制効果を期待できる落水音抑制転倒ゲートの設置を容易にする。
【００３７】（１２）  請求項１０の考案によれば、起立中空扉体の頂部開口が、フロントパネルの頂部に、基部をヒンジ付けした頂部開口カバーの自重により閉塞され、起立中空扉体内に発生する落水音のかなりの部分が当該頂部室内に閉塞されて、起立中空扉体周りへの拡散が抑制され、しかも、起立中空扉体の転倒による前記所定水位水の放流、又は流水路の通常水流が転倒した中空扉体内を流下する際、頂部開口カバーがそれらの流水により自動的に開放され、スムーズに流下する。
【００３８】（１３）  請求項１１の考案によれば、起立中空扉体の中空部を、その上下方向の隔壁により前側室と後側室に分割し、分割した前側室と後側室を前記隔壁頂部の欠落部により連通させたことにより、フロントパネルの入水口から流入し、リアパネルの排水口から排水される流水が、中空扉体内においてその流下方向を変えて十分長くなり、これと併せてフロントパネルの入水口下部と前記隔壁下部前側を、傾斜状又は凹弧状導入壁により連結したことにより、当該中空扉体内を流下、落水する流水の発生する落水音が抑制される。
【００３９】（１４）  請求項１２の考案によれば、排水音抑制室、起立する前記中空扉体のリアパネルの外側と、該リアパネルに上部をヒンジ付けした排水音抑制カバー内側と、該排水音抑制カバーの左右両側部の当接する前記流水路の側壁と、流水路の下流側床面とにより、ほぼ三角筒状に構成するとともに、前記排水音抑制カバーを、当該中空扉体の前記流水路の下流側床面上への転倒により、該転倒中空扉体の下側と流水路の下流側床面間に、折畳まれることにより、ほぼ三角筒状排水音抑制室内に起立する中空扉体のリアパネル下部の排水口から排出される前記落水の生ずる排水音が、当該ほぼ三角筒状排水音抑制室内に閉じ込められ、起立する扉体回りへの拡散が抑制される。また、排水音抑制カバーが、倒伏する中空扉体の下側へ折畳まれることにより、流水路の上流側床面上に、起立する中空扉体により確保された所定水位の水及び通常流水をスムーズに流下させる。
【００４０】（１５）  請求項１３の考案によれば、中空扉体の基部を、そのリアパネル下部の排水口が、前記流水路下流側床面上に位置し、当該下流側流水路の凹部上の、上流側床面より低い空間に、すなわち、前記流水路下流側床面の凹部内に位置するように、当該凹部内の基台に起伏可能に設けると共に、起立する中空扉体のリアパネル下部の排水口下縁と、フロントパネル内側下部を先下がり排水板により連結し、該リアパネル下部の排水口より上位内側から、フロントパネル下部に向って先下がり状に降下し、その欠落する端部が前記先下がり排水板の上面及びフロントパネルの下部内側面から適度に離間する反転板を設けたことにより、当該起立扉体内への流入水がスムーズに落水する外、同落水が排水口から当該凹部内の滞留水中に排水される際に発生する流体摩擦により、その排水音の発生が抑制され、しかも、前記中空扉体を流水路下流側床面の凹部内への折畳みにより、起立する中空扉体により流水路上流側床面上に確保した所定水位の水、及び通常流水がスムーズに流下する。
【００４１】（１６）  請求項１４の考案によれば、起立する前記直方体状中空扉体のフロントパネル上部の入水口の下位と、リアパネルの排水口の下部を、歪Ｓ状誘導板、Ｓ状誘導板、又は頂部及び底部がほぼ平行する先下り誘導面を備えるジグザグ状誘導板の何れかにより連結したことにより、直方体状中空扉体のフロントパネル上部の入水口の下位と、リアパネルの排水口の下部間が、選択されたそれぞれの形状に基づく流水路として、当該フロントパネルの入水口とリアパネルの排水口の上下方向の間隔より相応に長く構成され、即ち、当該流水路を流下する水が、選択されたそれぞれの形状に基づく当該流水路の流路形状に沿い、少なくとも、当該フロントパネルの入水口とリアパネルの排水口の上下方向間隔相応の長さを流下する水の受ける流体摩擦抵抗を超える大きな流体摩擦抵抗を受けることになり、したがって、当該起立する中空扉内の流水路を流下する水の発生する落水音が相応に抑制され、減少する。
【００４２】（１７）  請求項１５の考案によれば、起立する前記直方体状中空扉体のフロントパネルの上部に設けた入水口の下位と、リアパネルに設けた排水口の下部を、Ｓ状誘導板又は頂部及び底部がほぼ平行する先下り誘導面を備えるジグザグ状誘導板、若しくはそれらの組み合わせからなる流路規制部材により連結するとともに、前記流路規制部材の何れかの中央部とほぼ平行する頂面を備える三角柱状反転体を、その頂面と前記Ｓ状誘導板又はジグザグ状誘導板の一方又は双方の流路規制部材（誘導板）との間に、適宜間隔の落水路を確保するように、前記リアパネルの内側で、前記排水口上位に設けたことにより、直方体状中空扉体のフロントパネル上部の入水口の下位と、リアパネルの排水口の下部間が、選択されたそれぞれの形状に基づく流水路として、当該フロントパネルの入水口とリアパネルの排水口の上下方向の間隔より相応に長く構成され、即ち、当該流水路を流下する水が、選択されたそれぞれの形状に基づく当該流水路の流路形状に沿い、少なくとも、当該フロントパネルの入水口とリアパネルの排水口の上下方向間隔相応の長さを流下する水の受ける流体摩擦抵抗を超える大きな流体摩擦抵抗を受けることになり、その結果、当該起立する中空扉内の流水路を流下する水の発生する落水音が相応に抑制され、減少する。
【考案を実施するための最良の形態】
【００４３】以下、この考案に係る落水音抑制転倒ゲートを実施するための形態を、その実施例１〜４及びそれらの変形例を略示する図１から１１を参照して説明する。なお、第１から４実施例及びそれらの変形例に共通する部分には、同一名称、同一符号を用いる。
【実施例１】
【００４４】図１から３は、この考案に係る落水音抑制転倒ゲートの実施例１を略示するもので、図１は実施例１の落水音抑制転倒ゲート１０の中空扉体１２を、流水路５の下流側床面８上に転倒させた状態の模式平面説明図、図２はその模式縦断側面説明図、図３はその起立する中空扉体１２の模式縦断説明図で、起立中空扉体１２により確保した所定水位Ｈ〜Ｈ＋ΔＨ１の水である。ただし、ΔＨは起立中空扉体１２の隔壁２３頂部（欠落部２４の低部）の高さ、ΔＨ１は実際水流の隔壁２３頂部からの高さ、２６（２点鎖線）は当該起立中空扉体１２内における流水の模式流動経路である。【００４５】図１から３において、中空扉体１２は適度に離間し、ほぼ平行する平らなフロントパネル１３とリアパネル１４の周縁部を、溶接等により密閉状に固定してほぼ中空の箱状に構成される。１５は中空扉体１２の基部を流水路５下流側床面８の適所に配設した基台９に、起伏可能に取付ける取付け軸、１６は取付け軸１５を介して中空扉体１２を起立又は転倒（倒伏）させる油圧シリンダ等の駆動装置、１７はフロントパネル１３下部の入水口、１７Ｄは入水口１７上位（図３）に設けた、流水路５の流水中に混在する塵等を排除するスクリーンで、図１ではその一部（下側２個）開口１７にスクリーン１７Ｄを設けたものを略示した。１８はリアパネル１４下部の排水口、１９は流水路６の上流側床面７と、起立中空扉体１２のフロントパネル１３下部を、中空扉体１２の起伏に係わらず、常時水漏れしないように連結する水密ゴム、１９１は中空扉体１２の左右両側部と流水路５の側壁６、６を、中空扉体１２の起伏に係わらず常時水漏れしないように当接させる水密ゴム、２０は中空扉体１２の頂部開口、２０Ｄは起立する中空扉体１２の頂部室で、頂部室２０Ｄは大気に開放される。【００４６】フロントパネル１３下部の入水口１７から起立する中空扉体１２内に流入する所定水位Ｈ＋ΔＨ１の水が、起立する中空扉体１２内へ流入する際に発生する吸込音（例えば、図示しないサイフォン管の入口部における吸込音と同種のもの）等は、起立する中空扉体１２内から、その頂部室２０Ｄを介する外側、即ち、当該落水音抑制転倒ゲート１０回りへの拡散（漏れ）が抑制される。頂部開口カバー２１の基部がヒンジ２２により起立する中空扉体１２のフロントパネル１３頂部に取付けられ、その自重により頂部開口２０を常時ほぼ閉塞する。【００４７】２３は起立する直方体状中空扉体１２の概ね長さ（図３では上下）方向に延び、ほぼ平行するフロントパネル１３とリアパネル１４の概ね中央部に位置する隔壁、２３Ａは隔壁２３下部の凹弧（円弧）状導出部、２３ＡＡは凹弧状導出部２３Ａの円弧状凹弧の中心線で、この円弧状凹弧２３Ａの中心線２３ＡＡは、前記取付け軸１５と平行、即ち、当該直方体状中空扉体１２の並行するフロントパネル１３、リアパネル１４と平行する。２４は隔壁２３上部（図３）の欠落部で、欠落部２４により直方体状中空扉体１２内の前後（図３では左右）側の室が連通し、同欠落部２４は起立する直方体状中空扉体１２内を、その前側室（図３では隔壁２３の右側）から後側室（図３では隔壁２３の左側）へ流動（越流）する水の越流部をなす。２５はフロントパネル１３下���の入水口１７下縁と、隔壁２３の前（図２では右）側面を連結し、当該中空扉体１２内への流入水を導入する傾斜導入壁（図３では水平状の導入壁を略示した）である。【００４８】なお、図示しないが、この傾斜導入壁２５は凹弧状導入壁として構成することもでき、また、この凹弧状導入壁を円弧（凹弧）状導入壁として構成｛なお、この円弧（凹弧）状導入壁の円弧の中心線が、当該中空扉体１２のフロントパネル１３、リアパネル１４と平行状をなすように構成すること、即ち、この円弧（凹弧）状導入壁の円弧の中心線が、当該中空扉体１２のフロントパネル１３、リアパネル１４と平行状をなすように構成することにより、前記中空扉体１２の隔壁２３下部の凹弧（円弧）状導出部２３Ａの凹弧状導出部２３Ａの円弧状凹弧の中心線の中心線２３ＡＡと同様に構成される：図２参照｝すれば、当該凹弧（円弧）状導入壁により、フロントパネル１３の入水口１７からの当該中空扉体１２内への流入水の誘導性が一層向上する。【００４９】２７はリアパネル１４下部の排水口１８外（図３では左）側に設けた排水音抑制カバーで、起立する中空扉体１２のリアパネル１４下部の、排水口１８上位の左右（図１の上下）両側にヒンジ２８付けされ、排水音抑制カバー２７と、起立する中空扉体１２のリアパネル１４下部と、流水路５の左右両側壁６、６と、流水路５の下流側床面８（同下流側床面８上の流水層を含む）とにより、三角筒状の落水音抑制室３３が構成される。２７Ａは排水音抑制カバー２７が排水口１８からの排水により、僅かに（多少）開放された状態（図３ではその開放開度を大きく誇張して）を破線で略示した。２７Ｂは流水路５の下流側床面８上に倒伏する中空扉体２７Ｂの下側へ、折畳んだ状態の排水音抑制カバーである。【００５０】（実施例１の効果）
実施例１の落水音抑制転倒ゲート１０は、流水路５の適所の上下流側床面７、８間、正確には両者の近接する下流側床面８上に設けた基台９に、中空扉体１２基部を取付け軸１５で回動可能に取付け、油圧シリンダ等の適宜駆動装置１６により、当該取付け軸１５を介して中空扉体１２を起立させ、この中空扉体１２の起立する状態における流水路５の、上流側床面７上に最低流入水位Ｈの水と、許容される変動水位幅ΔＨ１の所定水位（Ｈ〜Ｈ＋ΔＨ１）の水を確保し、所定水位（Ｈ〜Ｈ＋ΔＨ１）の水をフロントパネル１３下部の入水口１７から起立する中空扉体１２の前側室内に流入させ、隔壁２３の前側に沿って一旦上昇させた後、隔壁２３頂部の欠落部２４を介して後側室へ流入させ、流水経路２６のように流下、落水させ、排水口１８から排水音抑制室３３内に排水する。起立する中空扉体１２の排水口１８下縁は、流水路５上流側床面７より、図４におけるｈｂ１低く、その排水面となる流水路５の下流側床面８はさらにｈｂ２低くなる（ｈｂ１＋ｈｂ２＝ｈｂ）から、前記所定水位（Ｈ〜Ｈ＋ΔＨ１）の水が流水路５の下流側床面８上に排水される場合における排水音に着目すれば、正確には（Ｈ＋ｈｂ１〜Ｈ＋ΔＨ１＋ｈｂ１：排水口１８下縁まで）又は（Ｈ＋ｈｂ〜Ｈ＋ΔＨ１＋ｈｂ：流水路５の下流側床面８までの高さ）となる。【００５１】この頂部開口２０は少なくともその一部が大気に開放され、隔壁２３頂部の欠落部２４の越流水は、前記所定水位（Ｈ〜Ｈ＋ΔＨ１）の水と概ね同水位となり、その頂部の水が図３の２点鎖線２６のように流動する。起立中空扉体１２内の落水の発生する落水音は、概ね頂部室２０Ｄ内に閉じ込められ、その拡散が抑制される。因みに、この出願人の実施例１に係る試験によれば、当該起立する中空扉体１２の頂部室２０Ｄの頂部は、頂部開口カバー２１の自重により常時ほぼ閉塞されることにより、前記入水口１７の上半部が開放される状態においても、係る頂部室２０Ｄを設けない（例えば、頂部開口２０が常時開放される）ものと比べて、落水音抑制転倒ゲート１０の起立中空扉体１２内に発生する落水音を、若干抑制できた。【００５２】また、起立する中空扉体１２の頂部開口２０は、フロントパネル１３の頂部に設けた頂部開口カバー２１の自重で閉塞されるので、中空扉体１２を流水路５の下流側床面８上に転倒させる際、中空扉体１２内の流動水により、頂部開口カバー２１が、その基部のヒンジ２２回りに回動して、図２の破線２１Ａのように開放し、転倒した中空扉体１２内を流動する所定水位Ｈ〜Ｈ＋ΔＨ１の水、又は流水路５の通常流水をスムーズに流下させる。【００５３】実施例１の落水音抑制転倒ゲート１０は、起立する中空扉体１２のリアパネル１４下部の、排水口１８外（図３では左）側の、排水音抑制カバー２７により囲まれる排水音抑制室３３の高い水密性まで確保することを要件とするものではないが、仮に、例えば、排水音抑制カバー２７の左右両側縁部を流水路５の左右両側壁６、６に充分近接させること等により、その高い水密性を確保すれば、起立中空扉体１２内を落水し、前記所定水位Ｈ＋ｈｂ１〜Ｈ＋ΔＨ１＋ｈｂ１（ただし、ｈｂ１は排水口１８下縁の、流水路５の上流側床面７からの距離で：図４の符号ｈｂ１賦与部参照）の水が、排水口１８から排水される際、排水音抑制室３３内の流体圧ｈａが大気圧より上昇して（排水音抑制カバー２７の自重によるヒンジ２８回りの、図３における反時計方向トルクとバランスするように）、当該流体圧ｈａ（排水音抑制室３３内の流体圧ｈａは何処もほぼ均一）が排水口１８を介して、起立する中空扉体１２内の落水に賦与され、その結果、その有効落差（所定水位：Ｈ＋ΔＨ１＋ｈｂ１）が、概ね同流体圧ｈａ相応量程度減少し、ひいては、起立する中空扉体１２内の落水の発生する落水音、さらには、当該転倒ゲート１０周りへの落水音の拡散が相応量抑制される。なお、ほぼ三角柱状の排水音抑制室３３内に封じ込められる排水は、排水音抑制カバー２７の端部と流水路５の下流側床面８との間から順次流出する。【００５４】流水路５の上流側床面７上に確保した所定水位（Ｈ〜Ｈ＋ΔＨ１）の水の取水を必要としない場合には、駆動装置１６により取付け軸１５を介して起立する中空扉体１２を、図３の起立状態から反時計方向に回して、図２の流水路５の下流側床面８上に転倒させて、所定水位（Ｈ〜Ｈ＋ΔＨ１）の水を放流すると、排水音抑制カバー２７の下端が図３の状態から左側へ移動し、転倒した中空扉体１２の下位に、図２の２７Ｂのように折畳まれる。【００５５】起立する中空扉体１２が、流水路５の下流側床面８上へ転倒すると、起立する中空扉体１２内の残留水、流水路５の上流側床面７上の所定水位（Ｈ〜Ｈ＋ΔＨ１）の水、又は流水路５の上流側床面７上を流動（流下）する通常の流水等の少なくとも一部が、転倒した中空扉体１２のフロントパネル１３の入水口１７から、その内側の中空部へ流入し、頂部開口カバー２１を図２の実線で示す閉塞状態から、ヒンジ２２回りの時計方向へ、同図破線２１Ａで示すように回動して頂部開口２０を開放し、所定水位（Ｈ〜Ｈ＋ΔＨ１）の水又は通常流水をスムーズに流下させる。
【実施例２】
【００５６】次に、この考案の実施例２に係る落水音抑制転倒ゲートの１０Ａを、図４の起立する中空扉体１２Ａの模式縦断説明図を参照して説明する。なお、前記実施例１と共通する部分には同一名称、同一符号を用いる。実施例２の落水音抑制転倒ゲート１０Ａは、前記実施例１の起立する中空扉体１２の基部を、流水路５下流側床面８上で、下流側床面８と上流側床面７の境界より、中空扉体１２Ａの高さよりやや広く離間する位置に小堰８Ａを設け、その左右両側部を流水路５の左右側壁６、６部まで伸ばして凹部８Ｂを構成し、凹部８Ｂの上流側床面７との境界近傍に設けた基台９に、中空扉体１２Ａの基部を取付け軸１５で、前記実施例１の中空扉体１２の基台９への取付け軸１５を介する取付けとほぼ同要領で取付ける。【００５７】実施例２の落水音抑制転倒ゲート１０Ａの中空扉体１２Ａは、その起立状態のリアパネル１４下部の排水口１８が、凹部８Ｂ内の滞留水により常時被覆されるように、即ち、リアパネル１４下部の排水口１８の頂部が、凹部８Ｂ内の滞留水の水面３０Ａより下位に位置するように配設すれば、同凹部８Ｂ内の滞留水により排水口１８が常時閉塞され、起立する中空扉体１２Ａの排水口１８からの排水が同滞留水中に排水されることになり、この場合には、同排水が当該凹部８Ｂ内の滞留水との間で、相応の流動摩擦抵抗を受け、その結果、当該排水による排水音の発生が相応量抑制される。また、凹部８Ｂは起立する中空扉体１２Ａを同凹部８Ｂ内に転倒させる際、フロントパネル１３が、流水路５の上流側床面７より下位となるように配し、同凹部８Ｂ内の滞留水面３０Ａより下位となるように転倒させる。その予の構造、作用は、前記実施例１とほぼ同様である。【００５８】実施例２は、流水路５の下流側床面８の凹部８Ｂ内に滞留する水の水圧を、リアパネル１４下部の排水口１８を介して起立中空扉体１２Ａ内の落水に、その背圧として掛けること自体を目的とするものではないが、図４のように構成すれば、当然のことながら、起立する中空扉体１２Ａのリアパネル１４下部の、排水口１８の下縁より高い水位ｈｂ１に相応する排水圧が、排水口１８を介して起立する中空扉体１２Ａ内の落水にその背圧として賦与され、この水位ｈｂ１相応圧が、当該起立する中空扉体１２Ａ内の落水の背圧として作用し、この起立する中空扉体１２Ａ内の落水の水位が、係る凹部８Ｂ内に滞留流水がないものとの対比において相応量減少し、ひいては、この起立する中空扉体１２Ａ内の落水音が相応に減少する。ｈｂ２は排水口１８下縁と流水路５の下流側床面８（凹部８Ｂの底面）との間隔で、間隔ｈｂ２はこの装置の凹部８Ｂへの落水開始当初等、滞留水のない凹部８Ｂ内への排水の高さで、この場合には、排水口１８からの排水の前記落差Ｈ＋ΔＨ１が、正確にはＨ＋Δ１＋ｈｂ＝Ｈ＋ΔＨ１＋ｈｂ１＋ｈｂ２となり、したがって、前記所定水位Ｈ＋ΔＨ１の落差に、当然この排水高さｈｂ２相応分が付加された水位Ｈ＋ΔＨ１＋ｈｂ１＋ｈｂ２に対応する落水音、排水音が発生することになる。【００５９】一方、この凹部８Ｂ内に滞留水があれば、同滞留水により起立する中空扉体１２Ａの排水口１８が覆われるから、起立する中空扉体１２Ａの排水口１８からの排水は落下す��ことなくほぼ水平状に流下し、この場合には、排水口１８からの排水の前記落差Ｈ＋ΔＨ１、正確には前記Ｈ＋ΔＨ１＋ｈｂ＝Ｈ＋ΔＨ１＋ｈｂ１＋ｈｂ２中、その一部のｈｂ＝ｈｂ１＋ｈｂ２に相応する滞留水の水圧が、起立する中空扉体１２Ａの排水口１８を介して起立する中空扉体１２Ａ内の落水に負圧として作用し、即ち、実施例２の凹部８Ｂ内に滞留水があれば、当該滞留水の高さ（水位）ｈｂに相応する水圧が、前記落差Ｈ＋ΔＨ１＋ｈｂから減少することになり、この点でも相応の落水音、排水音の発生が抑制される。
【中空扉体の変形例１】
【００６０】実施例１、２の落水音抑制転倒ゲート１０、１０Ａの中空扉体１２、１２Ａでは、その入水口１７、１７をフロントパネル１３の下部に設けたものを略示したが、この入水口１７はフロントパネル１３の中央部に設けることもでき（図示省略）、この場合には流水路５の上流側床面７上の所定水位Ｈ＋ΔＨ１の水から取水できる範囲Ｈの一部（最低水位）が、フロントパネル１３中央部の入水口１７の水流高さ相応分高くなる点は別として、その予の構造、作用等は前記実施例１、２の落水音抑制転倒ゲート１０、１０Ａとほぼ同様である。
【中空扉体の変形例２】
【００６１】  前記実施例１、２の起立する中空扉体１２、１２Ａの、フロントパネル１３の下部（中央部も同様）の入水口１７下縁部と隔壁２３下部を、図２の模式縦断説明図に破線で略示する凹弧状導入部２３Ｃとして構成することもでき、そのように構成すれば、入水口１７から起立する中空扉体１２、１２Ａ内へ流入する所定水位の水の、前記実施例１、２の起立する中空扉体１２、１２Ａ内への流入より一層スムーズに流入し、当該起立する中空扉体凹弧状導入部２３Ｃを１２、１２Ａ内における流入抵抗が前者より減少する。なお、この凹弧状導入部２３Ｃは、その中心線が中空扉体１２のフロントパネル１３、リアパネル１４と平行する凹弧（円弧）状導入部２３Ｃをとして構成することができる。また、この凹弧状導入部２３Ｃは、短小な第２傾斜状導入壁（図示省略）として構成することもでき、かかる変形例２にあっても、前記とほぼ同様に、流入水の良好な導入作用をする。
【実施例３】
【００６２】次に、この考案に係る落水音抑制転倒ゲートの実施例３を、図５〜７を参照して説明する。なお、前記実施例１と共通する部分には、同一名称、同一符号を用いる。また、特に必要な事項は別として、実施例１と共通する部分についての構造、作用の説明は省略する。【００６３】要再整理    図５は実施例３の落水音抑制転倒ゲート４０の中空扉体４２を、流水路５下流側床面８上に倒伏させた状態の模式平面説明図、図６はその模式縦断説明図、図７は起立する中空扉体４２の模式縦断説明図で、図７では起立する立中空扉体４２により確保した所定水位Ｈ〜Ｈ＋ΔＨ１（正確には、「＋ｈｂ：凹部８Ｂ内の滞留水の水位＝ｈｂ１＋ｈｂ２」であるが、以下の説明では、説明簡略化のため、この「＋ｈｂ」についての記載を省略する）の水を、フロントパネル４３上部の入水口４７から起立する中空扉体４２内に流入させ、その中空部の流下水流５６を同時に破線（図７参照）で、模式的に略示した。【００６４】実施例３の起立する中空扉体４２は、上部（図７）に入水口４７を設けたフロントパネル４３と、下部に排水口４８を設けたリアパネル４４を、適宜間隔を存してほぼ平行に配し、両パネル４３、４４を先（図７では左側）下がりの傾斜状隔壁６４で連結すると共に、該両パネル４３、４４の周縁部を密閉して箱状（直方体状）の中空扉体４２とし、その基部を取付け軸１５により、流水路５下流側床面８の適所に設けた基台９に回動可能に取付けて、油圧シリンダ等の適宜駆動装置１６による起伏操作を可能にする。【００６５】４７は起立する中空扉体４２のフロントパネル４３頂部の入水口、４８はリアパネル４４下部の排水口、５０は起立する中空扉体４２の頂部開口、５０Ｄはその頂部室、６１はそのフロントパネル４３の、頂部開口４７の下縁からその内側後（図７では左側上）方に伸び、左右（図５では上下）方向に適宜間隔を存して配設したフォーク状スクリーンで、フォーク状スクリーン６１上には、必要に応じてネット６１Ｄを設けることができ（図５では一部のフォーク状スクリーン６１上にスクリーン６１Ｄを設けたものを略示した）、フォーク状スクリーン６１、ネット６１Ｄにより、流水路５の流水中に混在する塵等を掬い上げ、起立する中空扉体４２内への流入を阻止する。６２はリアパネル４４の中央部内側から、フロントパネル４３の下部内側に向う先下がり反転板、６３は反転板６２端部の欠落部、６４はフロントパネル４３の内側下部とリアパネル４４の排水口４８下部（リアパネル４４の内側）を連結する先下がり状の排水板である。【００６６】実施例３は、起立する中空扉体４２により、流水路５上流側床面７上に確保した所定水位（Ｈ〜Ｈ＋ΔＨ１）の水を、フロントパネル４３上部の入水口４７から起立する中空扉体４２内に流入させると、図７に鎖線５６で略示すように、起立する中空７体４２のリアパネル４４の前側（図７では右側）面に沿って流下した後、先下がり反転板６２に沿ってフロントパネル４３の内側下部側へ反転した後、排水板６４の上面に沿うように流下して、排水口４８から流水路５の下流側床面８上（この場合には、その凹部８Ｂ内）に排水される。【００６７】排水口４８の外（図７では左）側を被覆する排水音抑制カバー���７の頂部を、リアパネル４４下部の排水口４８の頂部外側（リアパネル４４の外側）に回動可能にヒンジ２８付けする等、その予の構造、作用は、前記実施例１の排出口１８周りに設けた排水音抑制カバー２７とほぼ同様で、排水口４８から排水される排水の排水音が、排水音抑制カバー２７、起立中空扉体４２のリアパネル４４の下部外側（図７では左側）、流水路５の左右両側壁６、６、流水路５の下流側床面８（下流側床面８上の流水を含む）等により囲われるほぼ三角柱状の排水音抑制室３３内に、前記実施例１の排水音抑制カバー２７による排水音抑制室３３と同様に、当該落水音抑制転倒ゲート４０Ｂ  の起立中空扉体４２Ｂ内を流下する落水の、排水口４８を介する排水に伴って発生する排水音を閉じ込め、その拡散を抑制する。【００６８】この頂部室５０Ｄの頂部は開口５０するが、起立する中空扉体４２の頂部開口５０面積のほぼ３０〜４０％程度が、フォーク状スクリーン６１により閉塞されることにより、頂部室５０Ｄから起立する中空扉体４２周りへの落水音の拡散が相応に抑制される。なお、このフォーク状スクリーン６１の上部全面にネット６１Ｄを設ければ、この頂部開口５０から拡散される落水音が一層効果的に抑制される。この実施例３では、この仕切り壁６０により中空扉体４０を幅狭に構成したことにより、頂部室５０Ｄ内に集まる落水音の隣接する頂部室５０Ｄへの拡散が抑制される。
【実施例４】
【００６９】次に、この考案に係る落水音抑制転倒ゲートの実施例４を、図８を参照して説明する。図８は実施例４の落水音抑制転倒ゲート４０Ａの、中空扉体４２Ａが起立する状態の模式縦断側面図である。なお、前記実施例３と共通する部分には同一名称、同一符号を用いる。また、特に必要な事項は別として、実施例３と共通する部分の構造、作用の説明は省略する。【００７０】実施例４の落水音抑制転倒ゲート４０Ａの、中空扉体４２Ａの基部は、図８のように流水路５の下流側床面８に、左右両側部が流水路５の側壁６、６に達する小堰８Ａを設けて構成した凹部８Ｂの、流水路５の上流側床面７近傍の基台９に、図８では図示しない油圧シリンダ（図５の符号１６付与部参照）等の駆動装置で駆動される取付け軸１５により、前記実施例３の中空扉体４２とほぼ同様に取付ける。この中空扉体４２Ａは凹部８Ｂ内に中空扉体４２Ａを倒伏させ、該中空扉体４２Ａのフロントパネル４３が、凹部８Ｂ内の滞留水面３０Ａより下位となるように転倒させる。なお、中空扉体４２Ａは、そのリアパネル４４下部の排水口４８の外側に、当該排水口４８を被覆する落水音抑制カバー（第１実施例を略示する図２、３の符号２７付与部参照）を設けない点（実施例２と同様）は別として、実施例３の中空扉体１２とほぼ同様な構造を備え、作用をする。【００７１】実施例４の落水音抑制転倒ゲート４０Ａは、その起立中空扉体４２Ａのリアパネル４４下部の排水口４８の上端部が、流水路５の下流側床面８の、凹部８Ｂ内の滞留水面３０Ａより下位にある限り、起立する中空扉体４２Ａ内の落水が当該滞留水内に流入、排出され、当該滞留水との流体摩擦により排水音の発生が相応に抑制される。なお、起立する中空扉体４２Ａの凹部８Ｂ内への転倒状態において、そのフロントパネル４３が流水路５上流側床面７より下位となるように配設し、起立する中空扉体４２Ａの倒伏により流水路５上流側床面７上に確保された所定水位の水や、流水路５上流側床面７上の通常水流をスムーズに流下させる。その予の構造、作用は、前記実施例３とほぼ同様である。
【中空扉体の実施例３〜５の変形例】
【００７２】次に、この考案に係る落水音抑制転倒ゲートの中空扉体の変形例３〜５を、それらの要部模式縦断説明図の図９〜１１を参照して説明する。変形例３〜５の中空扉体７２、８２、９２を備える落水音抑制転倒ゲート７０、８０、９０の入水口４７が、何れもフロントパネル４３の頂部に設けられる点では、実施例３、４の中空扉体４２、４２Ａと共通するが、中空扉体７２、８２、９２の頂部室５０Ｄには、実施例３のフォーク状スクリーン６１はない。また、頂部室５０Ｄの頂部開口５０に頂部開口カバー５１を、リアパネル４４下部の排水口４８外側に排水音抑制カバー２７を設ける点は、前記実施例１の中空扉体１２の、頂部室２０Ｄの頂部開口２０に頂部開口カバー２１をヒンジ付けしたこと、及びそのリアパネル１４下部の排水口１８外側に排水音抑制カバー２７をヒンジ２８付した点では、実施例１、３の中空扉体１２、４２とほぼ同様である。しかし、これらの変形例３〜５の中空扉体７２、８２、９２内の落水路７４、８４、９４は、以下に述べるように前記実施例１〜４の中空扉体１２、１２Ａ、４２、４２Ａの何れの落水路とも相違する。
【中空扉体の変形例３】
【００７３】図９において、７２は変形例３の落水音抑制転倒ゲート７０の起立する中空扉体、７３は中空扉体７２の中空部に設けた歪Ｓ状誘導板で、歪Ｓ状誘導板７３頂部の大凸弧状部の下端と、低部の小凹弧状部の上端を、夫々の接線状をなす平板により連結して構成し、歪Ｓ状誘導板７３頂部の大凸弧状部の上端を、起立中空扉体７２のフロントパネル４３の頂部開口４７の下部に、水平状ないし水平よりやや下降するように取付け、小凹弧状部の端部をリアパネル４４下部の排水口４８の下部に、リアパネル４４内面に直角に近い鋭角状をなすように取付けたもので、入水口４７からの所定水位Ｈ〜Ｈ＋ΔＨ１の水が、起立中空扉体７２内に流入すると、歪Ｓ状誘導板７３に概ね沿い、歪Ｓ状誘導板７３とリアパネル４４内側面との間の先細状落水路７４、即ち、流水経路７６に沿うように落水し、排水口４８から流水路５の下流側床面８上に、排水音抑制カバー２７により確保される排水音抑制室３３内に排水される。その予の構造、作用は前記実施例３とほぼ同様である。
【中空扉体の変形例４】
【００７４】図１０において、８２は変形例４の落水音抑制転倒ゲート８０の起立中空扉体、８３は起立する中空扉体８２内のＳ状誘導板で、Ｓ状誘導板８３はフロントパネル４３上部の入水口４７下部と、リアパネル４４下部の排水口４８下部を夫々連結する点では前記変形例３の中空扉体７２とほぼ同様であるが、Ｓ状誘導板８３の凸弧状部と凹弧状部はほぼ同径（やや大径）の弧状部として構成され、両弧状部を連結する中央部は、中空扉体８２のフロントパネル４３とリアパネル４４の中央部において両者とほぼ平行し、又は当該連結部の下部がその上部よりフロントパネル４３の下部内側に近接するように、即ち、やや大きく反転（後退）するように構成される。Ｓ状誘導板８３の連結部の中央部から下（図１０では左）側で、排水口４８上位（図１０）のリアパネル４４内側に、Ｓ状誘導板８３の連結部（中央部）とほぼ平行し、両者間に落水路８４を構成する適度な間隔の存する頂面８５１を備える三角柱状反転体８５が設けられ、入水口４７からの所定水位Ｈ〜Ｈ＋ΔＨ１の水が起立する中空扉体８２内に流入すると、Ｓ状誘導板８３に沿い、落水路８４、流水経路８６に沿うように落水し、排水口４８から流水路５の下流側床面８上に構成される排水音抑制室３３内に排水される。その予の構造、作用は前記実施例３とほぼ同様である。
【中空扉体の変形例５】
【００７５】図１１において、９３は変形例５の起立する中空扉体９２内に設けた、当該中空扉体９２内の落水を誘導するジグザグ状誘導板で、ジグザグ状誘導板９３はフロントパネル４３の内側上部の入水口４７下位と、リアパネル４４の内側下部の排水口４８下部を連結し、頂部及び底部がほぼ平行する先下り誘導部９３１、９３２を備え、直線状中央部が前記頂部の先下り誘導部９３１の下部に、底部が先下り誘導部９３２の上部にそれぞれ連結され、当該連結部の下部がフロントパネル４３に十分近接するように大きく後退し、全体としてジグザグ状をなす（ただし、頂部の先下り誘導部９３１の下部と、直線状中央部の上部との連結部は適度に面取りされ、当該起立する中空扉体９２内を流下する落水をスムーズに流下、落水させる）ように構成され、ジグザグ状誘導板９３の直線状中央部と三角柱状反転体９５の頂面９５１間に構成される適宜間隔の落水路９４により反転された後、底部誘導面９３２に沿って流下し、前記リアパネル４４下部の排水口４８を介して、流水路５の下流側床面８上に構成された排水音抑制室３３内に排水される。その予の構造、作用は前記実施例３とほぼ同様である。
【中空扉体の変形例３〜５の基台の、流水路下流側床面の凹部への配設】
【００７６】中空扉体７２、８２、９２は、図示しないが、それぞれの基部を、流水路５の下流側床面８の凹部８Ｂに設けた基台９（図４、８参照）に取付けることができ、この場合には起立中空扉体７２、８２、９２のリアパネル４４下部の、排水音抑制カバー２７を外し、それぞれの起立中空扉体７２、８２、９２の基部を、流水路５の下流側床面８の凹部８Ｂ内に設けた基台９（図４、８参照）に、適宜駆動手段、例えば、油圧シリンダ−１６等で、駆動される取付け軸１５により、起伏可能に取付けることにより、前記実施例２、４の中空扉体１２Ａ、４２Ａとほぼ同様な作用、効果を奏するものを、提供する。
【中空扉体の頂部カバーの落水音抑制効果】
【００７７】起立する中空扉体４２のフロントパネル４３上部の入水口４７から、当該起立する中空扉体４２内に所定水位Ｈ〜Ｈ＋ΔＨ１の水が流入すると、側面視凸弧状水流５６（図７）として流下して、リアパネル４４の内側面に衝突し、同内側面に沿うように起立する中空扉体４２内を流下して排水口４８から排出され、この間に同部で発生するかなりの落水音が頂部室５０Ｄ内に集まる。頂部室５０Ｄの頂部開口５０は、頂部開口カバー５１により常時ほぼ閉塞されるが、頂部落水音抑制室５０Ｄの前（図６では右）側の、フロントパネル４３の上部入水口４７は、通常当該入水口４７から流入する所定水位Ｈ〜Ｈ＋ΔＨ１の水により、少なくともその下側の一部が閉塞され、その上半部が開放される。
【００７８】起立する中空扉体４２内で、前記凸弧状に流動する流水５６の落水により発生する落水音には、例えば、頂部開口カバー５１の下面に向い、同下面に当接、反射されるものを始め、リアパネル４４の内側面（フロントパネル４３とリアパネル４４の接合部）、又は隔壁６０に向って当接、反射されるもの、流水路５の下流側床面８に向い、同下流側床面８に当接して、反射されるもの等がある外、凸弧状に流動する流水５６の進行に伴う新たな落水音であって、前者より遅位相の落水音が順次発生し、それ等の一部は相殺されるとしても、なお残る残部が、頂部室５０Ｄ内に閉塞される。そして、起立する中空扉体４２のフロントパネル４３の頂部入水口４７からの流入水が少ない（落水音が比較的小さい）場合には、フロントパネル４３上部の入水口４７の大半が開口することから理解されるように、この場合は別として、入水口４７から大量流入して大きな落水音が発生する場合には、入水口４７の大半が閉塞されるため、大量入水により起立する中空扉体４２内に発生する落水音の、当該入水口４７の開口部を介する起立する中空扉体４２周りへの拡散は、相応に抑制される。
【００７９】なお、中空扉体１２、１２Ａ、４２、４２Ａ、７２、８２、９２を所定幅の互いにほぼ平行するフロントパネル１３、４３と、リアパネル１４、４４の端面を、当該フロントパネル１３、４３とリアパネル１４、４４に複数の同形、同大の単位中空扉体として構成し、それらを一体状に連結構成すれば、当該中空扉体を高強度に構成できる外、複数個の同形、同大の単位中空扉体内で発生する落水音が、それぞれの端部の仕切り（連結）壁３１、６０により遮断されて、隣接する単位中空扉体にはほとんど伝達されず、当該中空扉体周りへの落水音の拡散が、一層効果的に抑制される。
【００８０】また、起立中空扉体４２、４２Ａの頂部中空室５０Ｄ内に位置し、フロントパネル４３上部の入水口４７の下位から斜め上方へ延びるフォーク状、ネット状等の適宜形状のスクリーン６１を設ければ、仮に、流水路５からの流入水中にごみ等が混在しても、フロントパネル４３の上部入水口４７部のフォーク状、ネット状等の適宜形状のスクリーン６１、６１Ｄにより掬い上げられる外、頂部開口５０からの頂部室５０Ｃ内への異物の不用意な進入が抑制、阻止されると共に、起立する中空扉体内に発生する落水音の、当該頂部室５０Ｃの開口からの放出が、当該スクリーン６１、６１Ｄにより相応に抑制される。
【００８１】なお、起立する前記中空扉体のフロントパネル上部の入水口下位と、リアパネル下部の排水口の下部を、歪Ｓ状誘導板、Ｓ状誘導板又は頂部及び底部がほぼ平行する先下り誘導面を備えるジグザグ状誘導板の何れかにより連結すれば、起立する中空扉体内への流入水がスムーズに流入、落水し、流入、落水音の発生が抑制されるばかりでなく、係る構成の選択により、当該中空扉体の強度が、相応に向上する。
【００８２】また、起立する前記中空扉体８２、９２のフロントパネル４３上部の入水口４７下位と、リアパネル４４下部の排水口４８の下部を、Ｓ状誘導板８３、頂部及び底部がほぼ平行する先下り誘導面９３１、９３２を備えるジグザグ状誘導板９３の中央部とほぼ平行する頂面８５１、９５１を備える三角柱状反転体８５、９５を、その頂面８５１、９５１と前記Ｓ状誘導板８３又はジグザグ状誘導板９３等の流下水流規制部材９３の中央部との間に、適宜間隔の落水路８４、９４を確保するように、前記リアパネル４４内側で、排水口４８の上位に設ければ、起立する中空扉体のフロントパネル上部の入水口下位と、リアパネル下部の排水口下部を、Ｓ状誘導板又は頂部及び底部がほぼ平行する先下り誘導面を備えるジグザグ状誘導板の中央部とほぼ平行する頂面を備える三角柱状反転体を、その頂面と前記Ｓ状誘導板又はジグザグ状誘導板の中央部との間に、適宜間隔の落水路を確保するように、前記リアパネルの内側で、前記排水口の上位に設けられることになり、したがって、起立する中空扉体の高さよりやや長い落水経路にスムーズに流入、流下、落水し、流下、落水音の発生が相応に抑制される。その上、係る構成の選択により、当該中空扉体のフロントパネル上部の入水口下位と、リアパネル下部の排水口の下部を、Ｓ状誘導板、頂部及び底部がほぼ平行する先下り誘導面を備えるジグザグ状誘導板の中央部とほぼ平行する頂面を備える三角柱状反転体を、その頂面と前記Ｓ状誘導板又はジグザグ状誘導板等の流下水流規制部材が取付けられることにより、当該中空扉体が相応に補強される。
【００８３】さらに、起立する中空扉体のリアパネルの排水口を、前記流水路下流側床面上において、当該流水路下流側の凹部上の、上流側床面より低い空間に位置するように配設したことにより、起立中空扉体のリアパネル下部の排出口が、常時当該凹部内に位置し、したがって、排出口からの排水が、凹部内の滞留水内に排出され、ひいては、転倒ゲートの起立する中空扉体の流下水流の、落水音発生が相応に抑制され、この間に起立中空扉体の流下水流の発生する落水音の拡散も相応に抑制される。
【００８４】  また、中空扉体の基部を、そのリアパネル下部の排水口が、前記流水路下流側床面上に位置し、当該下流側流水路の凹部上の、上流側床面より低い空間、すなわち、前記流水路下流側床面の凹部内に位置するように、当該凹部内の基台に起伏可能に設けると共に、起立する中空扉体のリアパネル下部の排水口下縁と、フロントパネル内側下部を先下がり排水板により連結し、該リアパネル下部の排水口より上位内側から、フロントパネル下部に向って先下がり状に降下し、その欠落する端部が前記先下がり排水板の上面及びフロントパネルの下部内側面から適度に離間する反転板を設ければ、当該起立扉体内への流入水がスムーズに落水する外、同落水が排水口から当該凹部内の滞留水中に排水される際に発生する流体摩擦により、その排水音の発生が抑制され、しかも、前記中空扉体を流水路下流側床面の凹部内に折畳むことにより、流水路上流側床面上に確保した所定水位の水の放流、及び通常流水をスムーズに流下させる。
【００８５】なお、起立する前記中空扉体７２、８２、９２のフロントパネル３上部の入水口４７下位と、リアパネル４４下部の排水口４８の下部を、歪Ｓ状誘導板７３、Ｓ状誘導板８３又は頂部及び底部がほぼ平行する先下り誘導面９３１、９３２を備えるジグザグ状誘導板９３の何れかにより連結したことにより、起立する中空扉体内に流入した流下水流が、起立する中空扉体のフロントパルの入水口とリアパネルの排水口間において、当該入水口と排水口との上下方向の間隔より長く、それぞれの流水経路の形状に沿うように、スムーズに流下することにより、当該中空扉体内の流下水流の発生する落水音が、それぞれの流下流水経路形状に沿う相応に抑制されるほか、当該中空扉体内で発生した流下水流の落水音の大半が、当該中空扉体の流下水流の流水経路内に閉塞され、ひいては、当該中空扉体内の流下水流の発生した落水音の当該中空扉体外への拡散も抑制される。
【００８６】また、起立する前記中空扉体８２、９２のフロントパネル４３上部の入水口４７下位と、リアパネル４４下部の排水口４８下部を、Ｓ状誘導板８３又は頂部及び底部がほぼ平行する先下り誘導面９３１、９３２を備えるジグザグ状誘導板９３の中央部とほぼ平行する頂面８５１、９５１を備える三角柱状反転体８５、９５を、その頂面８５１、９５１と前記Ｓ状誘導板８３又はジグザグ状誘導板９３の中央部との間に、適宜間隔の落水路８４、９４を確保するように、前記リアパネル４４の内側で、前記排水口４８の上位に設ければ、起立中空扉体内へ流入水がスムーズに流入し、起立する当該中空扉体のフロントパネルの入水口とリアパネルの排水口との上下方向の間隔より長い流水経路に添って、スムーズに流下した後、リアパネルの落水口からスムーズに排水されることにより、当該扉体内の流下水流の発生する落水音が抑制される外、発生した落水音が起立する中空扉体内に閉塞されるように抑制され、また、起立する当該扉体のリアパネルの排水口からの排水が、起立する中空扉体のリアパネル外側に頂部を揺動可能に軸着した排水音抑制カバー等により確保される排水音抑制室内に排水されることにより、当該排水の発生する排水音が、当該排水音抑制室内に閉塞され、その拡散が抑制される。
【００８７】なお、前記何れの実施例、変形例にあっても、起立する中空扉体内の流水経路の長さが、起立する当該中空扉体のフロントパネルの入水口とリアパネルの排水口との上下方向間隔より長くなるように構成した流路規制部材に沿って、当該中空扉体内を流水がスムーズに流下することにより、当該中空扉体内の流下水流の発生する落水音が相応に抑制されるほか、同流下水流の発生する落水音が当該中空扉体内に閉塞され、ひいては、当該落水音の当該中空扉体からの拡散が相応に抑制される。また、前記流下水流規制部材が当該扉体の中央部において、それぞれの平行状フロントパネルとリアパネルをそれぞれの中間部において直交状に連結されることとの関連においても、所要の強度、剛性を備える中空扉体の設計、製造の自由度向上を期待できる。
【図面の簡単な説明】
【００８８】
【図１】  この考案に係る落水音抑制転倒ゲートの第１実施例の中空扉体を、流水路の下流側床面に転倒させた状態の模式平面説明図である。
【図２】  その落水音抑制転倒ゲートの第１実施例の中空扉体を、流水路の下流側床面に転倒させた状態の模式縦断説明図である。
【図３】  その起立する中空扉体の模式縦断説明図である。
【図４】  この考案に係る落水音抑制転倒ゲートの第２実施例の中空扉体基部を、流水路下流側床面の凹部内の基台に起伏可能に取付け、その中空扉体を起立させた状態の模式縦断説明図である。
【図５】  この考案に係る落水音抑制転倒ゲートの第３実施例の中空扉体を、流水路下流側床面に倒伏させた状態の摸式平面説明図である。
【図６】  同第３実施例の中空扉体の、転倒状態の模式縦断説明図である。
【図７】  同第３実施例の中空扉体の、起立状態の模式縦断説明図である。
【図８】  この考案に係る落水音抑制転倒ゲートの第４実施例の中空扉体基部を、流水路下流側床面の凹部内の基台に起伏可能に取付けたものの、起立状態における模式縦断説明図である。
【図９】  この考案に係る落水音抑制転倒ゲートの、中空扉体の変形例３の、起立状態の模式縦断説明図である。
【図１０】  この考案に係る落水音抑制転倒ゲートの、中空扉体の変形例４の、起立状態の模式縦断説明図である。
【図１１】  この考案に係る落水音抑制転倒ゲートの、中空扉体の変形例５の、起立状態の模式縦断説明図である。
【符号の説明】
【００８９】５……流水路    ６……流水路側壁
７……上流側床面    ８……下流側床面
８Ａ……小堰（下流側床面）    ８Ｂ……凹部（下流側床面）
９……基台    １０……落水音抑制転倒ゲート（実施例１）
１０Ａ……落水音抑制転倒ゲート（実施例２）    １２……中空扉体（直方体状）
１２Ａ……中空扉体（直方体状）（実施例２）    １３……フロントパネル
１４……リアパネル    １５……取付け軸
１６……駆動装置（中空扉体１２の下部）    １７Ｄ……スクリーン（ネット状）
１８……排水口    １９……水密ゴム
１９１……水密ゴム    ２０……頂部開口
２０Ｄ……頂部室    ２１……カバー（頂部開口２０の）
２１Ａ……頂部開口カバー２１（開放）    ２２……ヒンジ
２３……隔壁（流路規制部材）    ２３Ａ……凹弧状排出部（隔壁２３）
２３ＡＡ……凹弧状排出部２３Ａの円弧の中心    ２４……欠落部（隔壁２３頂部の）
２５……傾斜導入壁    ２６……落水経路（中空扉体１２内）
２７……排水音抑制カバー    ２７Ａ……排水音抑制カバー
２７Ｂ……排水音抑制カバー（折畳み状態）    ２８……ヒンジ
２９……所定水位（Ｈ＋ΔＨ１）    ３０、３０Ａ……下流側水面
３１……仕切（連結）壁    ３３……排水音抑制室
３６……水流、水圧方向（流水路５上流側）    ４０……落水音抑制転倒ゲート（実施例３）
４０Ａ・・・・・・落水音抑制転倒ゲート（実施例４）
４２……中空扉体（直方体状）（第２実施例）    ４３……フロントパネル（中空扉体４２）
４４……リアパネル（中空扉体４２）    ４６……通水経路（中空扉体４２内）
４７……入水口    ４７Ｄ……スクリーン
４８……排水口    ５０……頂部開口
５０Ｄ……頂部室    ５１……頂部開口カバー
５１Ａ……頂部開口カバー（開放状態）    ５２……ヒンジ（頂部開口カバー５１の）
５３……傾斜隔壁    ５３Ａ……凹弧状導出部
５６……落水経路（中空扉体４２内）    ６０……仕切壁
６１……フォーク状スクリーン    ６１Ｄ……スクリーン
６２……反転板（流路規制部材）    ６３……切欠部（反転板端部）
６４……排水板
７０、８０、９０……落水音抑制転倒ゲート（変形例３〜５）
７２、８２、９２……中空扉体（直方体状）（変形例３〜５）
７３……歪Ｓ状誘導板（流路規制部材）    ７４、８４、９４……落水路
７６、８６、９６……落水経路    ８３……Ｓ状誘導板（流路規制部材）
８５、９５……三角柱状反転体（流路規制部材）    ８５１……誘導面（三角柱状反転体８５）
９３……ジグザグ状誘導板（流路規制部材）
９３１……頂部誘導面（ジグザグ状誘導板９３）
９３２……低部誘導面（ジグザグ状誘導板９３）
９５１……誘導面（三角柱状反転体９５）
Ｈ……最低流入水位（起立中空扉体の確保する最低水位）
ΔＨ……入水口４７の高さ
ｈａ……排水音抑制カバー２７による背圧相応水位
ｈｂ……凹部８Ｂ内の滞留水の水位（ｈｂ１＋ｈｂ２）
ｈｂ１……凹部８Ｂ内の滞留水による背圧相応水位
ｈｂ２……排水口１８からの排水の落下水位
【図１】
0003133172.tif 000003
【図２】
0003133172.tif 000004
【図３】
0003133172.tif 000005
【図４】
0003133172.tif 000006
【図５】
0003133172.tif 000007
【図６】
0003133172.tif 000008
【図７】
0003133172.tif 000009
【図８】
0003133172.tif 000010
【図９】
0003133172.tif 000011
【図１０】
0003133172.tif 000012
【図１１】
0003133172.tif 000013